(57)【要約】【課題】筐体を設置台に設置する際に、設置台の取付面の方向に合わせて筐体を取り付ける場合に、撮像する像が正立する方向になるように撮像素子の回動位置を正確に調整することが可能な撮像装置を提供する。【解決手段】この監視カメラ１（撮像装置）は、筐体２と、筐体２の前部に筐体２に対して回動可能に取り付けられるフロントユニット１０とを備え、フロントユニット１０は、ユーザによる回動操作により筐体２に対して回動するフロントパネル１１と、フロントパネル１１の回動に伴って回動するＣＣＤ１４と、フロントパネル１１およびＣＣＤ１４の回動位置をユーザにより視認可能な１つの三角印１１ｂとを含む。【選択図】図２
2010266540.tif 000002
【特許請求の範囲】
【請求項１】
筐体と、
前記筐体の前部に前記筐体に対して回動可能に取り付けられる回動ユニットとを備え、
前記回動ユニットは、
ユーザによる回動操作により前記筐体に対して回動する回動操作部と、
前記回動操作部の回動に伴って回動する撮像素子と、
前記回動操作部および前記撮像素子の回動位置をユーザにより視認可能な１つの回動位置識別部とを含む、撮像装置。
【請求項２】
前記筐体の所定の部分には、前記筐体を設置台に取り付けるための１つの設置台取付部が設けられており、
前記回動位置識別部は、前記撮像素子が撮像する像が正立する方向を示す回動位置識別マークにより構成されており、
前記筐体の設置台取付部が前記設置台に取り付けられた状態で、前記回動位置識別マークに基づいて前記撮像素子が撮像する像が正立する方向になるように前記回動操作部を回動して調整可能なように構成されている、請求項１に記載の撮像装置。
【請求項３】
前記筐体は、前面に設けられ、ユーザにより視認可能なストッパ部を一体的に含み、
前記回動ユニットの回動操作部は、ユーザにより視認可能で、かつ、前記筐体のストッパ部と当接することにより前記回動ユニットの回動範囲を規制する突起部を含む、請求項１または２に記載の撮像装置。
【請求項４】
前記筐体は、凹部をさらに含み、
前記回動ユニットは、前記筐体の凹部と係合することにより、前記回動操作部の回動位置を位置決めする凸部を有し、前記回動操作部に固定されるプレート部をさらに含み、前記ストッパ部は、前記プレート部の凸部と前記筐体の凹部とが係合する位置において、前記回動操作部の突起部と当接するように構成されている、請求項３に記載の撮像装置。
【請求項５】
前記プレート部の凸部は、弾性変形可能に構成されているとともに、前記筐体の凹部との係合位置以外の回動位置において、弾性変形するように構成されている、請求項４に記載の撮像装置。
【請求項６】
前記筐体の凹部は、９０度間隔で４つ設けられ、
前記プレート部の凸部は、前記筐体の９０度間隔で設けられる４つの凹部のそれぞれに対応するように、９０度間隔で４つ設けられている、請求項４または５に記載の撮像装置。
【発明の詳細な説明】
【技術分野】
【０００１】
この発明は、撮像装置に関し、特に、筐体に対して回動する回動ユニットを備えた撮像装置に関する。
【背景技術】
【０００２】
従来、筐体に対して回動する回動ユニットを備えた撮像装置などが知られている（たとえば、特許文献１）。上記特許文献１には、キャビネット（筐体）と、キャビネットの前部にキャビネットに対して回動可能に取り付けられるハウジングと、ハウジングに固定されるとともに、ハウジングの回動に伴って回動するように構成され、内部にＣＣＤ（撮像素子）を含むカメラとを備えたカメラ角度調整機構が開示されている。ハウジングは、ユーザの操作によりキャビネットに対して回動するように構成されている。また、ハウジングには、ユーザが回動操作する際の滑り止めとして機能するとともに、ユーザにより視認可能な操作グリップが設けられており、操作グリップは、ハウジングの左右側面に左右対称に一対設けられている。
【先行技術文献】
【特許文献】
【０００３】
【特許文献１】特開平１１−２８４８８７号公報
【発明の概要】
【発明が解決しようとする課題】
【０００４】
しかしながら、上記特許文献１のカメラ角度調整機構では、ユーザにより視認可能な一対の操作グリップを、カメラの回動角度位置を識別するための目印として用いようとした場合、操作グリップは、ハウジングに左右対称に一対設けられているので、ハウジングがキャビネットに対して１８０度以上回動された場合に、一対の操作グリップを目印としてキャビネットに対してのハウジングの初期位置からの回動角度を識別するのは困難である。このため、カメラ（撮像装置）のキャビネット（筐体）を設置台に設置する際に、設置台の取付面の方向に合わせてカメラの筐体を取り付ける場合に、撮像する像が正立する方向になるように撮像素子の回動位置を正確に調整するのが困難であるという問題点がある。
【０００５】
この発明は、上記のような課題を解決するためになされたものであり、この発明の１つの目的は、筐体を設置台に設置する際に、設置台の取付面の方向に合わせて筐体を取り付ける場合に、撮像する像が正立する方向になるように撮像素子の回動位置を正確に調整することが可能な撮像装置を提供することである。
【課題を解決するための手段および発明の効果】
【０００６】
この発明の一の局面による撮像装置は、筐体と、筐体の前部に筐体に対して回動可能に取り付けられる回動ユニットとを備え、回動ユニットは、ユーザによる回動操作により筐体に対して回動する回動操作部と、回動操作部の回動に伴って回動する撮像素子と、回動操作部および撮像素子の回動位置をユーザにより視認可能な１つの回動位置識別部とを含む。
【０００７】
この発明の一の局面による撮像装置では、上記のように、筐体に対して回動可能に取り付けられる回動ユニットに、ユーザによる回動操作により筐体に対して回動する回動操作部と、回動操作部の回動に伴って回動する撮像素子と、回動操作部および撮像素子の回動位置をユーザにより視認可能な１つの回動位置識別部とを設けることによって、ユーザにより回動操作部が筐体に対して回動された場合に、回動操作部および回動操作部の回動に伴って回動する撮像素子の回動位置を示す回動位置識別部が１つ設けられているので、回動操作部の回動操作量に関わらず、回動位置識別部は回動操作部の正確な回動位置を示すことができる。これにより、撮像装置の筐体を設置台に設置する際に、設置台の取付面の方向に合わせて撮像装置の筐体を取り付ける場合に、容易に、１つの回転位置識別部を用いて撮像する像が正立する方向になるように撮像素子の回動位置を正確に調整することができる。
【０００８】
上記一の局面による撮像装置において、好ましくは、筐体の所定の部分には、筐体を設置台に取り付けるための１つの設置台取付部が設けられており、回動位置識別部は、撮像素子が撮像する像が正立する方向を示す回動位置識別マークにより構成されており、筐体の設置台取付部が設置台に取り付ける際に、回動位置識別マークに基づいて撮像素子が撮像する像が正立する方向になるように回動操作部を回動して調整可能なように構成されている。このように構成すれば、回動識別マークが所定の方向（たとえば上方）に位置するように回動位置識別マークを目視で確認しながら回動操作部を回動操作することにより、撮像装置を設置台に設置する際に、容易に、撮像素子が撮像する像が正立するように撮像素子の回動位置を調整することができる。
【０００９】
上記一の局面による撮像装置において、好ましくは、筐体は、前面に設けられ、ユーザにより視認可能なストッパ部を一体的に含み、回動ユニットの回動操作部は、ユーザにより視認可能で、かつ、筐体のストッパ部と当接することにより回動ユニットの回動範囲を規制する突起部を含む。このように構成すれば、筐体のストッパ部と、回動操作部の突起部との回動位置関係を目視で確認しながら回動操作部を回動操作することができるので、回動ユニットの回動範囲をユーザにわかりやすくすることができる。
【００１０】
この場合、好ましくは、筐体は、凹部をさらに含み、回動ユニットは、筐体の凹部と係合することにより、回動操作部の回動位置を位置決めする凸部を有し、回動操作部に固定されるプレート部をさらに含み、ストッパ部は、プレート部の凸部と筐体の凹部とが係合する位置において、回動操作部の突起部と当接するように構成されている。このように構成すれば、撮像装置を設置台に設置する際に、回動操作部に固定されるプレート部に設けられた凸部と筐体の凹部とを係合させることにより、回動ユニットの回動位置（撮像素子の回動位置）の位置決めを容易に行うことができるとともに、回動操作部の突起部とストッパ部とが当接する回動位置において、容易に、回動ユニットの回動位置（撮像素子の回動位置）を位置決めすることができる。
【００１１】
上記筐体が凹部を含むとともにプレート部が凸部を含む撮像装置において、好ましくは、プレート部の凸部は、弾性変形可能に構成されているとともに、筐体の凹部との係合位置以外の回動位置において、弾性変形するように構成されている。このように構成すれば、回動操作部をプレート部の凸部と筐体の凹部との係合位置以外の領域を回動させる場合に、回動操作部を筐体に対して回動させる際の抵抗を小さくすることができる。これにより、撮像素子の回動位置を調整する際に回動操作部を回動しやすくすることができる。
【００１２】
上記筐体が凹部を含むとともにプレート部が凸部を含む撮像装置において、好ましくは、筐体の凹部は、９０度間隔で４つ設けられ、プレート部の凸部は、筐体の９０度間隔で設けられる４つの凹部のそれぞれに対応するように、９０度間隔で４つ設けられている。このように構成すれば、撮像装置を設置台に取り付ける際に、設置台の取付面の方向（取付方向）が上向き、下向き、右向きおよび左向きのいずれかの場合にも、容易に、筐体に対して９０度間隔で回動操作部の回動位置を調整して撮像素子が撮像する像が正立する方向になるように調整することができる。
【図面の簡単な説明】
【００１３】
【図１】本発明の第１実施形態による監視カメラの全体構成を示した斜視図である。
【図２】図１に示した第１実施形態による監視カメラの設置状態を示した正面図である。
【図３】図１に示した第１実施形態による監視カメラの筐体およびフロントユニットの構造を示した斜視図である。
【図４】図１に示した第１実施形態による監視カメラの内部構造を説明するための背面図である。
【図５】図１に示した第１実施形態による監視カメラの内部構造を説明するための分解斜視図である。
【図６】図１に示した第１実施形態による監視カメラのフロントパネルを示した斜視図である。
【図７】図４に示した１００−１００線に沿った断面図である。
【図８】本発明の第２実施形態による監視カメラを示した斜視図である。
【図９】図８に示した第２実施形態による監視カメラ内部構造を説明するための背面図である。
【図１０】図８に示した第２実施形態による監視カメラの設置状態を示した正面図である。
【発明を実施するための形態】
【００１４】
以下、本発明を具体化した実施形態を図面に基づいて説明する。
【００１５】
（第１実施形態）
図１〜図７を参照して、本発明の第１実施形態による監視カメラ１の構成を説明する。なお、第１実施形態では、本発明の撮像装置の一例として監視カメラ１について説明する。
【００１６】
本発明の第１実施形態による監視カメラ１は、図１に示すように、筐体２と、筐体２の前部に取り付けられるフロントユニット１０とにより構成されている。フロントユニット１０は、筐体２に対して回動可能に取り付けられている。なお、フロントユニット１０は、本発明の「回動ユニット」の一例である。
【００１７】
また、筐体２は、上側筐体２ａと下側筐体２ｂとにより構成されている。筐体２は、フロントユニット１０を上側筐体２ａと下側筐体２ｂとにより挟み込むことにより、フロントユニット１０を支持するように構成されている。また、上側筐体２ａには、上方に突出するように設けられたマウント部２ｃが設けられている。なお、マウント部２ｃは、本発明の「設置台取付部」の一例である。このマウント部２ｃは、図２に示すように、壁、天井または床などに設置されたアーム（設置台）５０に取り付けられるように構成されている。また、監視カメラ１は、フロントユニット１０が筐体２に対して回動することにより、監視カメラ１により撮像される像が正立するようにアーム（設置台）５０に設置されるように構成されている。この点に関しては、後に詳しく説明する。また、下側筐体２ｂの前面２ｄには、図１に示すように、後述するフロントパネル１１の突起部１１ｃと当接するストッパ部２ｅが一体的に設けられている。
【００１８】
また、筐体２は、フロントユニット１０を装着するための開口部２ｆを有している。この開口部２ｆには、図３に示すように、４つの凹部２ｇが設けられている。具体的には、上側筐体２ａに１つの凹部２ｇが設けられているとともに、下側筐体２ｂに１つの凹部２ｇが設けられ、かつ、上側筐体２ａと下側筐体２ｂとが固定された際に、上側筐体２ａと下側筐体２ｂとの境界部分に２つの凹部２ｇが設けられる。これら４つの凹部２ｇは、図４に示すように、約９０度毎に設けられており、後述する押さえプレート１７の凸部１７ｃと係合するように構成されている。
【００１９】
また、図５に示すように、フロントユニット１０（図１参照）は、ユーザにより回動操作が可能なフロントパネル１１と、圧縮コイルバネ１２と、樹脂製のＣＣＤ支持部材１３と、映像を撮像するＣＣＤ１４と、ＣＣＤ１４に電源を供給するプリント基板１５と、操作リング１６と、押さえプレート１７とにより構成されている。なお、フロントパネル１１は、本発明の「回動操作部」の一例であり、ＣＣＤ１４は、本発明の「撮像素子」の一例である。また、押さえプレート１７は、本発明の「プレート部」の一例である。
【００２０】
ここで、第１実施形態では、フロントパネル１１は、レンズユニット（図示せず）を取り付けるためのアルミ系合金からなる金属製で、かつ、円筒形状を有するレンズマウント部１１ａと、ＣＣＤ１４の撮像正立方向（ＣＣＤ１４が撮像する像が正立する方向）を示す三角マーク１１ｂと、ユーザにより視認可能なように外側面から外側に向かって突出するように設けられた突起部１１ｃとを含んでいる。なお、三角マーク１１ｂは、本発明の「回動位置識別部」および「回動位置識別マーク」の一例である。この三角マーク１１ｂは、ユーザが視認しやすいようにフロントパネル１１の前面に印刷されている。また、三角マーク１１ｂは、その頂点が上方を向いている場合に、ＣＣＤ１４の撮像正立方向を示すように構成されている。また、突起部１１ｃは、フロントパネル１１が筐体２に対して回動する際に、下側筐体２ｂのストッパ部２ｅと当接することにより、フロントパネル１１の回り止めとして機能するように構成されている。なお、三角マーク１１ｂ、突起部１１ｃおよびストッパ部２ｅは、すべてユーザにより視認可能であるので、ユーザは、三角マーク１１ｂと突起部１１ｃとストッパ部２ｅとの位置を確かめながら、フロントパネル１１を回動操作することが可能である。
【００２１】
また、図６に示すように、フロントパネル１１の後面には、押さえプレート１７（図５参照）を支持するとともに、押さえプレート１７を固定するための３つのボス部１１ｄが設けられている。この３つのボス部１１ｄは、ＣＣＤ支持部材１３（図５参照）が回転するのを防止する機能も有している。また、ボス部１１ｄは、ネジ穴部１１ｅを有している。また、図７に示すように、フロントパネル１１のレンズマウント部１１ａは、外周面１１ｆがＣＣＤ支持部材１３を前後方向（Ｘ方向）に摺動可能に支持するように構成されている。
【００２２】
また、フロントパネル１１の外側面には、図１および図６に示すように、操作リング１６（図１参照）の後述する突起部１６ａ（図１参照）をフロントパネル１１の外側面よりも突出させるための４つの切欠部１１ｇを有している。これら４つの切欠部１１ｇは、図１に示すように、操作リング１６が回動された際に、操作リング１６の後述する突起部１６ａと当接することにより操作リング１６の回り止めとしての機能も有している。また、圧縮コイルバネ１２は、図７に示すように、フロントパネル１１の後面とＣＣＤ支持部材１３との間に配置され、ＣＣＤ支持部材１３を後方（矢印Ｘ２方向）に付勢するように構成されている。
【００２３】
また、ＣＣＤ支持部材１３は、図５に示すように、外周部分に設けられた３つの円弧状の切欠部１３ａと、ＣＣＤ１４が嵌め込まれる開口部１３ｂと、開口部１３ｂを取り囲むように形成された円状の溝部１３ｃとを含んでいる。３つの円弧状の切欠部１３ａは、フロントパネル１１の３つのボス部１１ｄ（図６参照）に対応する位置に配置されており、ＣＣＤ支持部材１３がフロントパネル１１に取り付けられた際に、ＣＣＤ支持部材１３がフロントパネル１１のボス部１１ｄ（図６参照）と干渉しないようにボス部１１ｄに対する逃がし部として機能するように構成されている。また、３つの円弧状の切欠部１３ａは、それぞれ、３つのボス部１１ｄ（図６参照）と係合するように構成されている。これにより、フロントパネル１１がユーザにより回動された際には、フロントパネル１１の回動に伴って、ＣＣＤ支持部材１３およびＣＣＤ１４を回動させることが可能となる。
【００２４】
また、ＣＣＤ支持部材１３の溝部１３ｃは、図７に示すように、ＣＣＤ支持部材１３がフロントパネル１１のレンズマウント部１１ａに対して前後方向（Ｘ方向）に摺動可能なように、フロントパネル１１のレンズマウント部１１ａが挿入されるように構成されている。また、ＣＣＤ支持部材１３は、図５および図７に示すように、その外周部分に設けられ、前後方向（Ｘ方向）と直交する方向に所定の角度傾斜する３つのカム部１３ｄを一体的に含む。これら３つのカム部１３ｄは、操作リング１６の後述する爪部１６ｂと当接するように構成されている。
【００２５】
また、ＣＣＤ支持部材１３のカム部１３ｄの外側には、ＣＣＤ支持部材１３を囲い込むように設けられ、樹脂製で、かつ、円筒形状の操作リング１６が配置されている。この操作リング１６は、ユーザにより回動操作されることによりＣＣＤ支持部材１３を前後方向（Ｘ方向）に移動させるために設けられている。具体的には、操作リング１６は、図５に示すように、ユーザにより回動される４つの突起部１６ａと、内側に向かって突出するように設けられた３つの爪部１６ｂとを一体的に有している。また、爪部１６ｂは、図７に示すように、それぞれ、ＣＣＤ支持部材１３のカム部１３ｄの後端面に当接するように構成されている。そして、ＣＣＤ支持部材１３は、ユーザにより突起部１６ａが反時計方向に回動操作されると、カム部１３ｄと当接する爪部１６ｂがカム部１３ｄの傾斜にしたがって、前方向（矢印Ｘ１方向）に移動されるように構成されている。また、ＣＣＤ支持部材１３は、ユーザにより突起部１６ａが時計方向に回動されると、圧縮コイルバネ１２の後方への付勢力により後方向（矢印Ｘ２方向）に移動されるように構成されている。これにより、フランジバック（レンズユニット（図示せず）とＣＣＤ１４との間の距離）が調整される。
【００２６】
また、押さえプレート１７は、図５に示すように、ＣＣＤ支持部材１３の後方（矢印Ｘ２方向）に配置されている。この押さえプレート１７は、ＣＣＤ支持部材１３およびＣＣＤ１４が後方に脱落するのを防止するために設けられている。具体的には、押さえプレート１７は、フロントパネル１１のボス部１１ｄ（図６参照）に当接する当接面１７ａと、３つのボス部１１ｄのそれぞれに対応するように当接面１７ａに３つ設けられたネジ挿入孔１７ｂとを有している。そして、押さえプレート１７は、３つのネジ挿入孔１７ｂのそれぞれに、ネジ部材４０が挿入されるとともに、３つのボス部１１ｄ（図６参照）のネジ穴部１１ｅ（図６参照）に螺合されることにより、フロントパネル１１に固定されるように構成されている。このとき、ＣＣＤ支持部材１３は、フロントパネル１１のレンズマウント部１１ａの後端部と、押さえプレート１７の当接面１７ａとの間に配置された状態で、フロントパネル１１と押さえプレート１７とが固定されるので、ＣＣＤ支持部材１３を、フロントパネル１１から脱落しないように構成することが可能となる。
【００２７】
また、第１実施形態では、押さえプレート１７は、図４に示すように、その外側部に約９０度毎に４つ設けられた凸部１７ｃと、４つの凸部１７ｃのそれぞれの間に設けられるフランジ部１７ｄとを一体的に有している。４つの凸部１７ｃは、筐体２の４つの凹部２ｇのそれぞれと係合するように構成されているとともに、筐体２の４つの凹部２ｇと係合することにより、フロントユニット１０およびフロントパネル１１の筐体２に対する回動位置の位置決めとして機能するように構成されている。これにより、フロントユニット１０を約９０度毎に回動位置の位置決めすることが可能であるので、図２に示すように、監視カメラ１の取付方向が上方向、左方向、右方向および下方向のいずれの場合にも、撮像される像が正立する位置で位置決めされた状態で監視カメラ１を配置することが可能となる。
【００２８】
具体的には、監視カメラ１を天井２００に設置する場合（監視カメラ１の取付方向が上向きである場合）には、三角マーク１１ｂが上方を向くようにフロントパネル１１を筐体２に対して回動させることにより、撮像される像が正立する位置で位置決めされた状態で監視カメラ１を配置することが可能となる。また、監視カメラ１を壁３００に設置する場合（監視カメラ１の取付方向が左向きである場合）には、監視カメラ１の取付方向が上方向である場合から三角マーク１１ｂが上方を向くようにフロントパネル１１を筐体２に対して時計方向に約９０度回動させることにより、撮像される像が正立する位置で位置決めされた状態で監視カメラ１を配置することが可能となる。さらに、監視カメラ１を壁４００に設置する場合（監視カメラ１の取付方向が右向きである場合）には、監視カメラ１の取付方向が上方向である場合から三角マーク１１ｂが上方を向くようにフロントパネル１１を筐体２に対して反時計方向に約９０度回動させることにより、撮像される像が正立する位置で位置決めされた状態で監視カメラ１を配置することが可能となる。そして、監視カメラ１を床５００に設置する場合（監視カメラ１の取付方向が下向きである場合）には、監視カメラ１の取付方向が上方向である場合から、三角マーク１１ｂが上方を向くようにフロントパネル１１を筐体２に対して時計方向に約１８０度回動させることにより、撮像される像が正立する位置で位置決めされた状態で監視カメラ１を配置することが可能となる。なお、監視カメラ１を床５００に設置する場合に、フロントパネル１１を筐体２に対してさらに時計方向に回動させると、筐体２のストッパ部２ｅが突起部１１ｃに当接する位置で、三角マーク１１ｂが上方を向く位置になる。
【００２９】
また、筐体２のストッパ部２ｅは、マウント部２ｃが下方に位置するように監視カメラ１がアーム５０に取り付けられた際に、フロントパネル１１の突起部１１ｃと当接するように構成されている。つまり、ストッパ部２ｅは、筐体２の凹部２ｇ（図４参照）と押さえプレート１７の凸部１７ｃとが係合する位置において、突起部１１ｃと当接するように配置されている。
【００３０】
また、図５に示すように、４つの凸部１７ｃは、半径方向に弾性変形可能に構成されている。これにより、フロントパネル１１が回動され、凸部１７ｃの回動位置が筐体２の凹部２ｇと係合位置から外れた場合には、凸部１７ｃの弾性変形により、フロントパネル１１の回動に伴って押さえプレート１７が回動する際に、凸部１７ｃと筐体２の開口部２ｆとの間に発生する抵抗を小さくすることが可能であるので、フロントパネル１１を筐体２に対して円滑に回動させることが可能となる。
【００３１】
また、押さえプレート１７のフランジ部１７ｄは、上側筐体２ａと下側筐体２ｂとによりフロントユニット１０が挟み込まれた際に、フランジ部１７ｄの前面が筐体２の後面に引っ掛かる（当接する）ように構成されている。これにより、フロントユニット１０が筐体２に対して前方（矢印Ｘ１方向）に移動するのを抑制することが可能となる。
【００３２】
第１実施形態では、上記のように、筐体２に対して回動可能に取り付けられるフロントユニット１０に、ユーザによる操作により筐体２に対して回動するフロントパネル１１と、フロントパネル１１の回動に伴って回動するＣＣＤ１４と、フロントパネル１１およびＣＣＤ１４の回動位置をユーザにより視認可能な１つの三角マーク１１ｂとを設けることによって、ユーザがフロントパネル１１を筐体２に対して回動させた場合に、フロントパネル１１およびフロントパネル１１の回動に伴って回動するＣＣＤ１４の回動位置を視認可能な三角マーク１１ｂが１つ設けられているので、フロントパネル１１の回動操作量に関わらず、三角マーク１１ｂはフロントパネル１１およびＣＣＤ１４の正確な回動位置を示すことができる。これにより、監視カメラ１の筐体２をアーム５０に設置する際に、アーム５０の方向に合わせて監視カメラ１の筐体２を取り付ける場合に、容易に、１つの三角マーク１１ｂを用いて撮像する像が正立する方向になるようにＣＣＤ１４の回動位置を正確に調整することができる。
【００３３】
また、第１実施形態では、上記のように、筐体２の上部に筐体２をアーム５０に取り付けるための１つのマウント部２ｃを設け、三角マーク１１ｂを、ＣＣＤ１４が撮像する像が正立する方向が上方であることを示すようにフロントパネル１１に印刷し、筐体２のマウント部２ｃがアーム５０に取り付ける際に、三角マーク１１ｂを上方に向けることによりＣＣＤ１４が撮像する像が正立する方向になるようにフロントパネル１１を回動して調整可能なように構成することによって、三角マーク１１ｂが上方を向くように三角マーク１１ｂを目視で確認しながらフロントパネル１１を回動操作することにより、監視カメラ１をアーム５０に設置する際に、容易に、ＣＣＤ１４が撮像する像が正立するようにＣＣＤ１４の回動位置を調整することができる。
【００３４】
また、第１実施形態では、上記のように、筐体２の前面にユーザにより視認可能なストッパ部２ｅを設けるとともに、フロントユニット１０のフロントパネル１１に、ユーザにより視認可能で、かつ、筐体２のストッパ部２ｅと当接することによりフロントユニット１０の回動範囲を規制する突起部１１ｃを設けることによって、筐体２のストッパ部２ｅと、フロントパネル１１の突起部１１ｃとの回動位置関係を目視で確認しながらフロントパネル１１を回動操作することができるので、フロントユニット１０の回動範囲をユーザにわかりやすくすることができる。
【００３５】
また、第１実施形態では、上記のように、筐体２に凹部２ｇを設け、フロントユニット１０に、筐体２の凹部２ｇと係合することにより、フロントパネル１１の回動位置を位置決めする凸部１７ｃを有するとともにフロントパネル１１に固定される押さえプレート１７を設け、ストッパ部２ｅを、押さえプレート１７の凸部１７ｃと筐体２の凹部２ｇとが係合する位置において、フロントパネル１１の突起部１１ｃと当接するように構成することによって、フロントパネル１１に固定される押さえプレート１７に設けられた凸部１７ｃと、筐体２の凹部２ｇとを係合させることにより、フロントパネル１１の回動位置（ＣＣＤ１４の回動位置）の位置決めを、容易に行うことができるとともに、フロントパネル１１の突起部１１ｃとストッパ部２ｅとが当接する回動位置において、容易に、フロントパネル１１の回動位置を位置決めすることができる。
【００３６】
また、第１実施形態では、上記のように、押さえプレート１７の凸部１７ｃを、弾性変形可能に構成するとともに、筐体２の凹部２ｇとの係合位置以外の回動位置において、弾性変形するように構成することによって、フロントパネル１１を押さえプレート１７の凸部１７ｃと筐体２の凹部２ｇとの係合位置以外の領域を回動させる場合に、フロントパネル１１を筐体２に対して回動させる際の抵抗を小さくすることができる。これにより、ＣＣＤ１４の回動位置を調整する際にフロントパネル１１を回動しやすくすることができる。
【００３７】
また、第１実施形態では、上記のように、筐体２の凹部２ｇを、約９０度間隔で４つ設け、押さえプレート１７の凸部１７ｃを、筐体２の約９０度間隔で設けられる４つの凹部２ｇのそれぞれに対応するように、約９０度間隔で４つ設けることによって、監視カメラ１をアーム５０に取り付ける際に、アーム５０の取付方向が上向き、下向き、右向きおよび左向きのいずれかの場合にも、容易に、筐体２に対して約９０度間隔でフロントパネル１１の回動位置を調整してＣＣＤ１４が撮像する像が正立する方向になるように調整することができる。
【００３８】
（第２実施形態）
次に、図８〜図１０を参照して、本発明の第２実施形態による監視カメラ１０１について説明する。この第２実施形態では、上記第１実施形態とは異なり、フロントユニット１０が筐体１０２に対して任意の回動角度位置で位置決めされる例について説明する。
【００３９】
この第２実施形態の監視カメラ１０１では、図８に示すように、フロントユニット１０は、筐体１０２に回動可能に取り付けられている。筐体１０２は、上側筐体１０２ａおよび下側筐体１０２ｂから構成され、フロントユニット１０は、上側筐体１０２ａと下側筐体１０２ｂとにより挟み込まれることにより、筐体１０２に取り付けられている。
【００４０】
ここで、第２実施形態では、筐体１０２の開口部１０２ｃは、複数の凹部１０２ｄを含む鋸歯形状を有している。これら凹部１０２ｄは、図９に示すように、それぞれ、押さえプレート１７の凸部１７ｃと係合可能なように構成されている。これにより、筐体１０２の凹部１０２ｄの角度位置毎に押さえプレート１７の凸部１７ｃとを係合させることが可能なので、フロントユニット１０を任意の角度位置で回動位置を位置決めすることが可能となる。これにより、図１０に示すように、筐体１０２が斜めに配置される場合にも、監視カメラ１０１により撮像される像を正立させることが可能となる。
【００４１】
なお、第２実施形態のその他の構成および効果については、第１実施形態と同様である。
【００４２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４３】
たとえば、上記第１および第２実施形態では、本発明の撮像装置の一例として、監視カメラを示したが、本発明はこれに限らず、映像を撮像する撮像素子を回動させる回動操作部を備えた撮像装置であれば、デジタルカメラおよびビデオカメラなど、監視カメラ以外の撮像装置にも適用可能である。
【００４４】
また、上記第１および第２実施形態では、本発明の映像を撮像する撮像素子の一例としてＣＣＤを示したが、本発明はこれに限らず、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの他のイメージセンサを用いてもよい。
【００４５】
また、上記第１および第２実施形態では、本発明の回動位置識別部の一例として、フロントパネルに印刷された三角マークを示したが、本発明はこれに限らず、ＣＣＤの撮像正立方向が明確に視認可能であれば、矢印など、三角マーク以外の回動位置識別部を設けてもよい。
【００４６】
また、上記第１および第２実施形態では、三角マークをフロントパネルに印刷する例を示したが、本発明はこれに限らず、三角マークをフロントパネルと別個に設けてもよい。また、フロントパネル以外の部分に設けてもよい。
【００４７】
また、上記第１実施形態では、押さえプレートの凸部と係合することにより、フロントユニットの回動位置の位置決めとして機能する筐体の凹部を約９０度毎に４つ設ける例を示したが、本発明はこれに限らず、約４５度毎に８つ設けるなど、約９０度毎に４つよりも細かい間隔で多くの凹部を設けてもよい。この場合、フロントユニットの回動位置を細かく調整することができる。
【符号の説明】
【００４８】
１、１０１  監視カメラ（撮像装置）
２、１０２  筐体
２ｃ  マウント部（設置台取付部）
２ｅ  ストッパ部
２ｇ、１０２ｄ  凹部
１０  フロントユニット（回動ユニット）
１１  フロントパネル（回動操作部）
１１ｂ  三角マーク（回動位置識別部、回動位置識別マーク）
１１ｃ  突起部
１４  ＣＣＤ（撮像素子）
１７  押さえプレート（プレート部）
１７ｃ  凸部 
５０  アーム（設置台）
【図１】
2010266540.tif 000003
【図２】
2010266540.tif 000004
【図３】
2010266540.tif 000005
【図４】
2010266540.tif 000006
【図５】
2010266540.tif 000007
【図６】
2010266540.tif 000008
【図７】
2010266540.tif 000009
【図８】
2010266540.tif 000010
【図９】
2010266540.tif 000011
【図１０】
2010266540.tif 000012